(57)【要約】【課題】出力物の統一感を高める。【解決手段】表示制御部は、利用者を被写体とした撮影画像が印刷されるシール紙の第１の領域に配置される第１のレイアウト画像の選択を受け付けるシールレイアウト選択画面の表示を制御し、設定部は、シールレイアウト選択画面において利用者により選択された第１のレイアウト画像に連動して、シール紙の第２の領域に配置される第２のレイアウト画像を設定する。本技術は、写真シール作成装置に適用することができる。【選択図】図２３
2020112638.tif 000002
【特許請求の範囲】
【請求項１】
利用者を被写体とした撮影画像が印刷されるシール紙の第１の領域に配置される第１のレイアウト画像の選択を受け付けるシールレイアウト選択画面の表示を制御する表示制御部と、
前記シールレイアウト選択画面において前記利用者により選択された前記第１のレイアウト画像に連動して、前記シール紙の第２の領域に配置される第２のレイアウト画像を設定する設定部と
を備える写真作成ゲーム機。
【請求項２】
前記シール紙の前記第１の領域に、前記利用者により選択された前記第１のレイアウト画像を印刷するとともに、前記シール紙の前記第２の領域に、前記利用者により選択された前記第１のレイアウト画像に連動して設定された前記第２のレイアウト画像を印刷する印刷制御部をさらに備える
請求項１に記載の写真作成ゲーム機。
【請求項３】
前記印刷制御部は、前記第１のレイアウト画像および前記第２のレイアウト画像それぞれに前記撮影画像が配置された前記シール紙を印刷する
請求項２に記載の写真作成ゲーム機。
【請求項４】
前記設定部は、
特定の分類の前記第１のレイアウト画像が選択された場合、前記第１のレイアウト画像に対応した前記特定の分類の前記第２のレイアウト画像を設定し、
前記特定の分類に含まれない前記第１のレイアウト画像が選択された場合、前記特定の分類に含まれない前記第２のレイアウト画像をランダムに設定する
請求項１乃至３のいずれかに記載の写真作成ゲーム機。
【請求項５】
前記設定部は、前記特定の分類の前記第１のレイアウト画像が選択された場合、前記第１のレイアウト画像において前記撮影画像が配置される配置領域以外の周囲領域のデザインと同じ前記周囲領域を有する前記第２のレイアウト画像を設定する
請求項４に記載の写真作成ゲーム機。
【請求項６】
前記設定部は、前記シールレイアウト選択画面において前記利用者により選択された前記第１のレイアウト画像に連動して、前記利用者の携帯端末に送信するための携帯送信専用画像を設定する
請求項４または５に記載の写真作成ゲーム機。
【請求項７】
前記撮影画像が配置された前記携帯送信専用画像の送信を制御する通信制御部をさらに備える
請求項６に記載の写真作成ゲーム機。
【請求項８】
前記設定部は、前記特定の分類の前記第１のレイアウト画像が選択された場合、前記第１のレイアウト画像の前記周囲領域のデザインと同じ前記周囲領域を有する前記携帯送信専用画像を設定する
請求項７に記載の写真作成ゲーム機。
【請求項９】
前記シール紙には、複数の前記第１のレイアウト画像と１つの前記第２のレイアウト画像が配置され、
前記第１のレイアウト画像それぞれには、複数人の前記利用者それぞれにより選択された前記撮影画像が配置され、
前記第２のレイアウト画像には、撮影により得られた全ての前記撮影画像が配置される
請求項１乃至８のいずれかに記載の写真作成ゲーム機。
【請求項１０】
前記特定の分類は、季節のイベントに応じたテーマを表す
請求項１乃至９のいずれかに記載の写真作成ゲーム機。
【請求項１１】
写真作成ゲーム機が、
利用者を被写体とした撮影画像が印刷されるシール紙の第１の領域に配置される第１のレイアウト画像の選択を受け付けるシールレイアウト選択画面を表示し、
前記シールレイアウト選択画面において前記利用者により選択された前記第１のレイアウト画像に連動して、前記シール紙の第２の領域に配置される第２のレイアウト画像を設定する
制御方法。
【請求項１２】
コンピュータに、
利用者を被写体とした撮影画像が印刷されるシール紙の第１の領域に配置される第１のレイアウト画像の選択を受け付けるシールレイアウト選択画面を表示し、
前記シールレイアウト選択画面において前記利用者により選択された前記第１のレイアウト画像に連動して、前記シール紙の第２の領域に配置される第２のレイアウト画像を設定する
処理を実行させるためのプログラム。
【請求項１３】
利用者を被写体とした撮影画像が印刷されるシール紙の第１の領域に、シールレイアウト選択画面において前記利用者により選択された第１のレイアウト画像を印刷するとともに、前記シール紙の前記第２の領域に、前記利用者により選択された前記第１のレイアウト画像に連動して設定された第２のレイアウト画像を印刷する印刷制御部
を備える写真作成ゲーム機。
【発明の詳細な説明】
【技術分野】
【０００１】
本技術は、写真作成ゲーム機、制御方法、およびプログラムに関し、特に、出力物の統一感を高めることができるようにする写真作成ゲーム機、制御方法、およびプログラムに関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
写真シール機の中には、所定の背景画像に、複数の撮影画像が合成されることで生成されるコラージュ画像を提供するものがある。
【０００４】
例えば、特許文献１には、複数の撮影画像それぞれに対して一括して合成される、所定のテーマで統一された背景画像の組み合わせであるセット背景の選択に応じて、コラージュ画像の背景画像を設定する写真シール作成装置が開示されている。
【先行技術文献】
【特許文献】
【０００５】
【特許文献１】特開２０１５−１２１６２５号公報
【発明の概要】
【発明が解決しようとする課題】
【０００６】
ところで、近年、利用者により選択されたレイアウト画像とともに、おまけ画像をシール紙に印刷する写真シール機がある。おまけ画像には、レイアウト画像と同様に、個々の撮影により得られた撮影画像が配置される。
【０００７】
しかしながら、おまけ画像は、レイアウト画像の選択によらずランダムに設定されることが多いため、最終的に出力されるシール紙全体の統一感が損なわれることがあった。
【０００８】
本技術は、このような状況に鑑みてなされたものであり、出力物の統一感を高めることができるようにするものである。
【課題を解決するための手段】
【０００９】
本技術の写真作成ゲーム機は、利用者を被写体とした撮影画像が印刷されるシール紙の第１の領域に配置される第１のレイアウト画像の選択を受け付けるシールレイアウト選択画面の表示を制御する表示制御部と、前記シールレイアウト選択画面において前記利用者により選択された前記第１のレイアウト画像に連動して、前記シール紙の第２の領域に配置される第２のレイアウト画像を設定する設定部とを備える写真作成ゲーム機、または、利用者を被写体とした撮影画像が印刷されるシール紙の第１の領域に、シールレイアウト選択画面において前記利用者により選択された第１のレイアウト画像を印刷するとともに、前記シール紙の前記第２の領域に、前記利用者により選択された前記第１のレイアウト画像に連動して設定された第２のレイアウト画像を印刷する印刷制御部を備える写真作成ゲーム機である。
【００１０】
本技術の制御方法は、写真作成ゲーム機が、利用者を被写体とした撮影画像が印刷されるシール紙の第１の領域に配置される第１のレイアウト画像の選択を受け付けるシールレイアウト選択画面を表示し、前記シールレイアウト選択画面において前記利用者により選択された前記第１のレイアウト画像に連動して、前記シール紙の第２の領域に配置される第２のレイアウト画像を設定する制御方法である。
【００１１】
本技術のプログラムは、コンピュータに、利用者を被写体とした撮影画像が印刷されるシール紙の第１の領域に配置される第１のレイアウト画像の選択を受け付けるシールレイアウト選択画面を表示し、前記シールレイアウト選択画面において前記利用者により選択された前記第１のレイアウト画像に連動して、前記シール紙の第２の領域に配置される第２のレイアウト画像を設定する処理を実行させるためのプログラムである。
【００１２】
本技術においては、利用者を被写体とした撮影画像が印刷されるシール紙の第１の領域に配置される第１のレイアウト画像の選択を受け付けるシールレイアウト選択画面が表示され、前記シールレイアウト選択画面において前記利用者により選択された前記第１のレイアウト画像に連動して、前記シール紙の第２の領域に配置される第２のレイアウト画像が設定される。
【発明の効果】
【００１３】
本技術によれば、出力物の統一感を高めることが可能となる。
【００１４】
なお、ここに記載された効果は必ずしも限定されるものではなく、本開示中に記載されたいずれかの効果であってもよい。
【図面の簡単な説明】
【００１５】
【図１】本技術の写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】編集ユニットの正面の構成例を示す図である。
【図８】編集ユニット側面パネルの構成例を示す図である。
【図９】写真シール作成装置の構成例を示すブロック図である。
【図１０】写真シール作成装置の機能構成例を示すブロック図である。
【図１１】写真シール作成ゲームの提供処理について説明するフローチャートである。
【図１２】事前選択処理について説明するフローチャートである。
【図１３】撮影処理について説明するフローチャートである。
【図１４】編集処理について説明するフローチャートである。
【図１５】シールレイアウト選択画面の例を示す図である。
【図１６】シールレイアウト選択画面の例を示す図である。
【図１７】シールレイアウト選択画面の例を示す図である。
【図１８】キープ画像選択画面の例を示す図である。
【図１９】編集画面の例を示す図である。
【図２０】携帯送信用画像選択画面の例を示す図である。
【図２１】コラージュ画像の例を示す図である。
【図２２】シール紙のシールレイアウトについて説明する図である。
【図２３】制御部の機能構成例を示すブロック図である。
【図２４】シール紙の印刷処理について説明するフローチャートである。
【図２５】おまけ画像の設定について説明する図である。
【図２６】おまけ画像の設定について説明する図である。
【図２７】携帯送信用画像の送信処理について説明するフローチャートである。
【図２８】コラージュ画像の設定について説明する図である。
【図２９】シールレイアウト選択画面の他の例を示す図である。
【図３０】シールレイアウト選択画面の他の例を示す図である。
【発明を実施するための形態】
【００１６】
以下に、本技術を実施するための形態（以下、実施の形態という）について説明する。
【００１７】
＜写真シール作成装置の外観＞
図１および図２は、写真シール作成装置１の外観の構成例を示す斜視図である。
【００１８】
写真シール作成装置１は、撮影画像や編集画像を提供するゲーム機である。写真シール作成装置１は、画像をシール紙に印刷したり、画像を利用者の携帯端末上で閲覧可能にしたりすることで、利用者に画像を提供する。写真シール作成装置１は、ゲームセンターなどのアミューズメント施設や店舗に設置される。
【００１９】
写真シール作成装置１の利用者は、主に女子高校生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００２０】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００２１】
図１に示すように、写真シール作成装置１は、基本的に、撮影ユニット１１と編集ユニット１２が接した状態で設置されることによって構成される。撮影ユニット１１と編集ユニット１２は電気的に接続される。
【００２２】
撮影ユニット１１は、人が中に入ることができる程度の大きさを有する箱形状の筐体を有し、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離れて対向して設置される。撮影部２１と背景部２２の間に形成される空間が、撮影処理が行われる撮影空間となる。
【００２３】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００２４】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。
【００２５】
撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置される。なお、事前選択部２０が、側面パネル４１Ｂに設置されるようにしてもよい。
【００２６】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａと略同一の横幅の板状の部材である。側面パネル５２Ｂは、背面パネル５１の右端に取り付けられ、側面パネル４１Ｂと略同一の横幅の板状の部材である。
【００２７】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００２８】
撮影空間の床には、例えば樹脂製の床シート２７が敷かれる。床シート２７は、デザイン性の高いピンク色一色に色付けされている。
【００２９】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００３０】
側面パネル４１Ａ、連結部２３Ａ、および側面パネル５２Ａによって形成される出入り口には、連結部２３Ａの天面から垂下するようにして、図示せぬ出入り口カーテンが取り付けられる。同様に、側面パネル４１Ｂ、連結部２３Ｂ、および側面パネル５２Ｂによって形成される出入り口にも、連結部２３Ｂの天面から垂下するようにして、図示せぬ出入り口カーテンが取り付けられる。
【００３１】
撮影空間の上方には、撮影部２１の正面、連結部２３Ａ、および連結部２３Ｂに囲まれた天井が形成される。その天井には、例えば樹脂製の天井シート２４が設けられる。天井シート２４の一端が連結部２３Ａに固定され、他端が連結部２３Ｂに固定される。
【００３２】
天井シート２４の一部に、通気孔を設けてもよい。例えば、天井シート２４の両端（連結部２３Ａ側と連結部２３Ｂ側）に四角形状で示された部分を通気孔としてもよい。また、四角形状で示された部分は、光が入射する透明な部材で形成されていてもよい。
【００３３】
編集ユニット１２は、撮影画像に編集を施すための装置である。編集ユニット１２は、一方の側面が撮影部２１の正面パネル４２に接するようにして、撮影ユニット１１に連結している。
【００３４】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００３５】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。
【００３６】
編集ユニット１２の編集ユニット１２の左側面（撮影部２１の正面パネル４２とは反対側の側面）には、矩形形状を有する板状の部材である編集ユニット側面パネル６５が設けられる。編集ユニット側面パネル６５は、例えば１０ｃｍ程度の厚さをもった筐体状に形成されている。
【００３７】
編集ユニット側面パネル６５の、図１に示される編集ユニット１２の正面側の側面（縁面）は、側面パネル４１Ａおよび側面パネル５２Ａと、ほぼ同一平面をなす。また、編集ユニット側面パネル６５の、図２に示される編集ユニット１２の背面側の側面（縁面）は、側面パネル４１Ｂおよび側面パネル５２Ｂと、ほぼ同一平面をなす。さらに、編集ユニット側面パネル６５の上面（天面）は、撮影空間の天井を構成する天井シート２４と、ほぼ同一平面をなす。
【００３８】
このような構造により、写真シール作成装置１は、全体として直方体形状の筐体を有するように構成される。
【００３９】
編集ユニット１２の上方にはカーテンフレーム２６Ａ，２６Ｂが取り付けられる。互いに平行に設けられるカーテンフレーム２６Ａとカーテンフレーム２６Ｂの一端は、連結部２３Ａと連結部２３Ｂにそれぞれ固定される。カーテンフレーム２６Ａとカーテンフレーム２６Ｂの他端は、編集ユニット側面パネル６５の両側面の上端にそれぞれ接合される。
【００４０】
カーテンフレーム２６Ａ，２６Ｂには、編集ユニット１２の正面前方の空間と背面前方の空間が外から見えないように、図示せぬカーテンが取り付けられる。そのカーテン、撮影部２１の正面パネル４２、および編集ユニット側面パネル６５により囲まれる編集ユニット１２の正面前方の空間と背面後方の空間が、利用者が編集作業を行う編集空間となる。
【００４１】
後述するが、編集ユニット側面パネル６５には、印刷済みのシール紙を利用者に提供するシール取り出し口が設けられる。編集ユニット側面パネル６５前方の空間が、印刷済みのシール紙が提供されるのを利用者が待つ印刷待ち空間となる。
【００４２】
そのため、利用者が編集空間から印刷待ち空間へ移動する際の安全性を考慮して、編集ユニット側面パネル６５の両側面と編集空間側の面とがなす角部は、面取り（Ｒ面取り）されている。
【００４３】
＜利用者の移動について＞
ここで、写真シール作成ゲームの流れと、それに伴う利用者の移動について説明する。
【００４４】
図３は、写真シール作成装置１を上から見た平面図である。
【００４５】
利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００４６】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。利用者は、撮影部２１に設けられたカメラやタッチパネルモニタなど利用して撮影作業を行う。
【００４７】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００４８】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００４９】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００５０】
印刷待ち空間Ａ３に移動した利用者は、印刷が終わるのを待つ。印刷が終了すると、利用者は、編集ユニット側面パネル６５に設けられた排出口から排出されたシール紙を受け取り、一連の写真シール作成ゲームを終える。
【００５１】
次に、各装置の構成について説明する。
【００５２】
＜事前選択部の構成＞
図４は、事前選択部２０の構成例を示す図である。
【００５３】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、撮影空間で行われる撮影に関するコースの選択などに用いられる画面が表示される。
【００５４】
タッチパネルモニタ７１の下方には、スピーカ７２が設けられる。スピーカ７２は、事前選択処理の案内音声、BGM（Back Ground Music）、効果音などを出力する。スピーカ７２に隣接するようにして、利用者が硬貨を入れる硬貨投入返却口７３が設けられる。
【００５５】
なお、事前選択部２０として、側面パネル４１Ａに設けられるタッチパネルモニタ７１、スピーカ７２、および硬貨投入返却口７３は、いずれも側面パネル４１Ａの表面から突出しないようにして設けられる。
【００５６】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００５７】
正面パネル４２の中央よりやや上側には、カメラユニット８１が設けられる。カメラユニット８１の正面には、カメラ９１とタッチパネルモニタ９２が設けられる。
【００５８】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。
【００５９】
カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００６０】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。
【００６１】
カメラユニット８１の上方には、曲面の発光面を利用者に向けた上ストロボユニット８２が設置される。上ストロボユニット８２は、利用者の正面上方から、利用者の顔および上半身に光を照射する。上ストロボユニット８２の発光面の内側には、常時点灯する電球と、撮影タイミングで発光するストロボ発光管が配置されている。
【００６２】
カメラユニット８１と上ストロボユニット８２との間には、下側に弧を描く半月状の発光面を有するカメラ上ストロボ８３が設けられる。カメラ上ストロボ８３は、正面パネル４２に埋め込まれるようにして形成されている。
【００６３】
カメラユニット８１の下方には、利用者の下半身および足元に光を照射する足元ストロボユニット８４が設けられる。足元ストロボユニット８４の発光面は、側面パネル４１Ａと側面パネル４１Ｂとの間に隙間なく形成される。足元ストロボユニット８４の発光面の内側にも、常時点灯する電球と、撮影タイミングで発光するストロボ発光管が配置されている。
【００６４】
上述したように、上ストロボユニット８２および足元ストロボユニット８４は、常時点灯する電球と、撮影タイミングで発光するストロボ発光管を内蔵している。これにより、上ストロボユニット８２および足元ストロボユニット８４は、撮影空間を明るくして利用者の操作性や安全性を確保するために、撮影空間内を常時照らすとともに、撮影画像の見栄えをより良くするために、撮影タイミングでストロボ発光し、被写体となる利用者に光を照射する。
【００６５】
なお、正面パネル４２の例えば天井付近に、スピーカが設けられ、撮影処理の案内音声、BGM、効果音などが出力される構成としてもよい。また、スピーカは、正面パネル４２ではなく、後述する背景部２２に設けられていてもよい。ここでは、図６を参照して後述するように背景部２２にスピーカが設けられている場合を例に挙げて説明を続ける。
【００６６】
＜背景部の構成＞
図６は、背景部２２の撮影空間Ａ１側の構成例を示す図である。
【００６７】
第１の背面パネルとして構成される背面パネル５１の撮影空間側には、背面パネル５１との間に所定の間隙を形成し、その下端が撮影空間Ａ１の床面から所定の高さより上に設けられる背面パネル１０１が、第２の背面パネルとして配置されている。背面パネル１０１は、背面パネル５１と側面パネル５２Ａ，５２Ｂとの間に閉空間を形成するようにして設けられる。
【００６８】
ここで、以下、背面パネル５１を外側背面パネル５１といい、背面パネル１０１を内側背面パネル１０１ということとする。
【００６９】
内側背面パネル１０１には、その一部として、撮影部２１による撮影により得られる撮影画像の背景となる（背景として写る）背景領域部１１１が形成されている。
【００７０】
背景領域部１１１は、乳白色の平面アクリル板（乳白アクリル板）で構成される。外側背面パネル５１と内側背面パネル１０１との間に形成された間隙（背景領域部１１１の裏側）には、撮影タイミングに合わせて発光するストロボ発光管を有するストロボ発光部が設けられている。
【００７１】
これにより、背景領域部１１１は、撮影タイミングで、その領域全体がぼんやりと白く明るく発光するようになる。
【００７２】
内側背面パネル１０１において、背景領域部１１１の左右両側には、スピーカ１１２−１，１１２−２が設けられている。スピーカ１１２−１，１１２−２は、撮影空間内に向かって撮影処理の案内音声、BGM、効果音などを出力する。以下においては、スピーカ１１２−１，１１２−２をそれぞれ特に区別しない場合には、単にスピーカ１１２という。
【００７３】
＜編集ユニットの構成＞
図７は、編集ユニット１２の正面側（編集空間Ａ２−１側）の構成例を示す図である。
【００７４】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００７５】
タブレット内蔵モニタ１３１は、タブレットとディスプレイを積層して構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００７６】
なお、タッチペン１３２Ａを用いた操作とタッチペン１３２Ｂを用いた操作は識別される。適宜、タブレット内蔵モニタ１３１の左側の表示に対してはタッチペン１３２Ａを用いた操作のみが可能とされ、右側の表示に対してはタッチペン１３２Ｂを用いた操作のみが可能とされる。以下、適宜、タッチペン１３２Ａとタッチペン１３２Ｂを区別する必要がない場合、まとめてタッチペン１３２という。
【００７７】
図８は、編集ユニット１２の左側面に設けられる編集ユニット側面パネル６５の構成例を示す図である。
【００７８】
編集ユニット側面パネル６５は、その正面側（印刷待ち空間側）の面を構成する板状部材としてのパネル１５１乃至１５４を有している。
【００７９】
パネル１５１は、編集ユニット側面パネル６５の略上半分を構成する。パネル１５２は、編集ユニット側面パネル６５の略下半分のうちの左右方向中央３分の１弱を構成する。パネル１５３，１５４は、編集ユニット側面パネル６５の略下半分において、パネル１５２の左右それぞれを構成する。
【００８０】
パネル１５２は、編集ユニット１２の左側面の一部を覆う開閉可能なドア部として構成される。パネル１５２を開いた状態の開口部からは、編集ユニット１２の左側面の内部に設けられるプリンタをのぞくことができる。
【００８１】
パネル１５２の中央付近には、最終的に出力されるシール紙を利用者に提供するシール取り出し口１６１が設けられる。編集ユニット１２の左側面の内部に設けられるプリンタにより、編集空間Ａ２−１の利用者が写る画像、または、編集空間Ａ２−２の利用者が写る画像が所定のレイアウトでシール紙に印刷され、シール取り出し口１６１に排出される。
【００８２】
パネル１５２において、シール取り出し口１６１の上方には、例えばシール取り出し口１６１からシール紙が排出されるタイミングで発光する発光部１６２が設けられる。シール取り出し口１６１の下方には、スピーカ１６３が設けられる。スピーカ１６３は、印刷待ち空間にいる利用者に対する案内音声、BGM、効果音などの音を出力する。
【００８３】
＜写真シール作成装置の内部構成＞
図９は、写真シール作成装置１の構成例を示すブロック図である。図９において、上述した構成と同じ構成には同じ符号を付してある。重複する説明については適宜省略する。
【００８４】
図９に示されるように、写真シール作成装置１は、PC(Personal Computer)部３０１に対して、事前選択部３０２、撮影部３０４、編集部３０５Ａ，３０５Ｂ、および印刷部３０６が外部入出力インタフェース３０３を介して接続されることによって構成される。情報処理部であるPC部３０１は、例えば編集ユニット１２の筐体内部に搭載される。
【００８５】
PC部３０１を構成するCPU(Central Processing Unit)３１１、ROM(Read Only Memory)３１２、RAM(Random Access Memory)３１３は、バス３１４により相互に接続される。
【００８６】
CPU３１１は、所定のプログラムを実行し、写真シール作成装置１の全体の動作を制御する。ROM３１２は、CPU３１１が実行するプログラムやデータを記憶する。RAM３１２は、CPU３１１が処理するデータやプログラムを一時的に記憶する。
【００８７】
バス３１４には、さらに、入出力インタフェース３１５が接続される。入出力インタフェース３１５には、記憶部３１６、通信部３１７、およびドライブ３１８が接続される。
【００８８】
記憶部３１６は、ハードディスクやフラッシュメモリなどの不揮発性の記憶媒体である。記憶部３１６は、CPU３１１から供給された各種の設定情報などを記憶する。記憶部３１６に記憶されている情報はCPU３１１により適宜読み出される。
【００８９】
通信部３１７は、インターネットなどのネットワークのインタフェースである。通信部３１７は、CPU３１１による制御に従って外部の装置と通信を行う。通信部３１７は、利用者により選択された画像を、例えば写真シール作成装置１の製造メーカが管理する画像取得サイト管理サーバに送信する。通信部３１７から送信された画像は、所定の記憶領域が割り当てられて保存され、画像取得サイト管理サーバにアクセスしてきた携帯端末上で表示されたり、その携帯端末にダウンロードされたりする。
【００９０】
ドライブ３１８には、光ディスクや半導体メモリなどよりなるリムーバブルメディア３１９が適宜装着される。ドライブ３１８によりリムーバブルメディア３１９から読み出されたプログラムやデータは、CPU３１１に供給され、記憶部３１６に記憶されたり、インストールされたりする。
【００９１】
入出力インタフェース３１５には外部入出力インタフェース３０３が接続される。PC部３０１による各部の制御が、外部入出力インタフェース３０３を介して行われる。
【００９２】
事前選択部３０２は、事前選択空間Ａ０にいる利用者を対象とした事前選択処理を実現する。事前選択部３０２は、タッチパネルモニタ７１、スピーカ７２、および硬貨処理部３２１から構成される。
【００９３】
タッチパネルモニタ７１は、PC部３０１による制御に従って各種の選択画面を表示し、選択画面に対する利用者の操作を受け付ける。利用者の操作の内容を表す入力信号はPC部３０１に供給され、各種の設定が行われる。
【００９４】
硬貨処理部３２１は、硬貨投入返却口７３への硬貨の投入を検出する。硬貨処理部３２１は、所定の金額分の硬貨が投入されたことを検出した場合、ゲームの開始を指示する起動信号をPC部３０１に出力する。
【００９５】
撮影部３０４は、撮影空間Ａ１にいる利用者を対象とした撮影処理を実現する。撮影部３０４は、前方照明装置３３１、背面照明装置３３２、カメラ９１、タッチパネルモニタ９２、およびスピーカ１１２から構成される。
【００９６】
前方照明装置３３１は、撮影空間Ａ１内の各ストロボユニットのうちの撮影部２１に設けられるストロボユニットである。背面照明装置３３２は、撮影空間Ａ１内の各ストロボユニットのうちの背景部２２に設けられるストロボユニットである。前方照明装置３３１と背面照明装置３３２は、PC部３０１から供給される照明制御信号に従って発光する。
【００９７】
カメラ９１は、PC部３０１によるシャッタ制御に従って撮影を行い、撮影によって得られた撮影画像（画像データ）をPC部３０１に出力する。
【００９８】
編集部３０５Ａは、編集空間Ａ２−１にいる利用者を対象とした編集処理を実現する。編集部３０５Ａは、タブレット内蔵モニタ１３１、タッチペン１３２Ａ，１３２Ｂ、およびスピーカ３４１から構成される。編集部３０５Ｂは、編集空間Ａ２−２にいる利用者を対象とした編集処理を実現し、編集部３０５Ａと同一の構成を有する。なお、以下、編集部３０５Ａ，３０５Ｂを特に区別しない場合には、単に、編集部３０５という。
【００９９】
タブレット内蔵モニタ１３１は、PC部３０１による制御に従って編集画面を表示し、編集画面に対する利用者の操作を受け付ける。利用者の操作の内容を表す入力信号はPC部３０１に供給され、編集対象となる撮影画像が編集される。
【０１００】
印刷部３０６は、プリンタ３５１、シール紙ユニット３５２、スピーカ３５３、および照明装置３５４から構成される。シール紙ユニット３５２はプリンタ３５１に装着される。
【０１０１】
プリンタ３５１は、内蔵するヘッド３６１を駆動し、PC部３０１から供給された印刷データに基づいて、シール紙ユニット３５２に収納されているロール状のシール紙３６３に画像を印刷する。また、プリンタ３５１は、画像を印刷したシール紙３６３をカッター３６２によって所定のカット位置でカットして、シール取り出し口１６１に排出する。
【０１０２】
照明装置３５４は、発光部１６２を発光させるための照明器具であり、蛍光管やＬＥＤ照明により構成される。照明装置３５４は、PC部３０１から供給される照明制御信号に従って発光する。
【０１０３】
＜写真シール作成装置の機能構成例＞
図１０は、写真シール作成装置１の機能構成例を示すブロック図である。図１０に示す機能部のうちの少なくとも一部は、CPU３１１により所定のプログラムが実行されることによって実現される。
【０１０４】
写真シール作成装置１においては、事前選択処理部４０１、撮影処理部４０２、編集処理部４０３、および印刷処理部４０４が実現される。事前選択処理部４０１、撮影処理部４０２、編集処理部４０３、および印刷処理部４０４の各機能部は、全体として、写真シール作成装置１の動作を制御する制御部として機能する。
【０１０５】
事前選択処理部４０１は、事前選択部３０２の各部を制御することで、事前選択処理を実行する。事前選択処理により、撮影に関するコースの選択が行われる。利用者による選択内容を表す情報は撮影処理部４０２に供給される。
【０１０６】
撮影処理部４０２は、撮影部３０４の各部を制御することで撮影処理を行う。撮影処理部４０２は、撮影処理を行うことによって得られた撮影画像のデータを編集処理部４０３に出力する。撮影処理部４０２から編集処理部４０３に対しては、撮影を複数回行うことによって得られた複数枚の撮影画像のデータが供給される。
【０１０７】
編集処理部４０３は、編集部３０５の各部を制御することで編集処理を行う。編集処理には、撮影画像に写る利用者の目の大きさや肌の明るさを調整するための画像処理、撮影画像に対して編集を施すための画像処理などが含まれる。
【０１０８】
編集処理部４０３は、撮影画像の編集を終えた後、編集画像を所定のレイアウトで配置することによって印刷データを生成し、印刷処理部４０４に出力する。
【０１０９】
印刷処理部４０４は、プリンタ３５１に印刷データを出力し、編集画像の印刷を行う。
【０１１０】
＜写真シール作成装置の動作＞
ここで、図１１のフローチャートを参照して、写真シール作成ゲームを提供する写真シール作成装置１の動作について説明する。
【０１１１】
ステップＳ１において、事前選択処理部４０１は、所定の金額分の硬貨が投入されたか否かを、硬貨処理部３２１から供給される起動信号に基づいて判定し、硬貨が投入されたと判定するまで待機する。
【０１１２】
ステップＳ１において、硬貨が投入されたと判定された場合、処理はステップＳ２に進む。ステップＳ２において、事前選択処理部４０１は、事前選択部３０２を制御することで、事前選択処理を行う。
【０１１３】
ステップＳ３において、撮影処理部４０２は、撮影部３０４を制御することで、撮影処理を行う。具体的には、撮影処理部４０２は、カメラ９１に取り込まれた被写体の動画像をタッチパネルモニタ９２にライブビュー表示させ、撮影空間Ａ１にいる利用者を被写体として撮影し、撮影画像を生成する。
【０１１４】
本実施の形態による撮影処理においては、複数回の撮影として、被写体の顔および上半身が大きく写る画像であるアップ画像を得るためのアップ撮影のみが行われるものとする。ただし、アップ撮影に加えて、被写体の全身が写る画像である全身画像を得るための全身撮影を行うようにしてもよい。
【０１１５】
ステップＳ４において、編集処理部４０３は、編集空間Ａ２−１と編集空間Ａ２−２のうち、撮影処理を終えた利用者の移動先とした方の編集空間に対応する編集部３０５を制御することで、編集処理を行う。具体的には、編集処理部４０３は、撮影処理により得られた撮影画像に対して利用者に編集作業を行わせることで、編集が施された編集画像を生成する。
【０１１６】
ステップＳ５において、印刷処理部４０４は、プリンタ３５１を制御することで、印刷処理を行う（開始する）。具体的には、印刷処理部４０４は、編集処理により得られた編集画像をプリンタ３５１に出力してシール紙に印刷する。なお、撮影処理により得られた撮影画像が、シール紙に印刷されるようにしてもよい。
【０１１７】
印刷が終了すると、ステップＳ６において、プリンタ３５１は、画像が印刷されたシール紙をシール取り出し口１６１に排出し、処理を終了させる。
【０１１８】
＜事前選択処理の詳細＞
次に、図１２のフローチャートを参照して、上述した写真シール作成ゲームの一連の処理におけるステップＳ２の事前選択処理の詳細について説明する。
【０１１９】
事前接客処理が開始されると、ステップＳ１１において、事前選択処理部４０１は、写りコース選択画面をタッチパネルモニタ７１に表示させる。
【０１２０】
写りコース選択画面は、撮影画像に写る被写体の写りを決定する写りコースの選択に用いられる画面である。
【０１２１】
写りコースにより決定される被写体の写りは、撮影空間Ａ１内の各ストロボユニットの照射強度と、撮影画像に対して施される画像処理によって決定される。例えば、被写体の写りは、前方照明装置３３１と背面照明装置３３２それぞれの発光量を調整するとともに、撮影画像における人物領域の彩度、明度、シャープネス、コントラストなどの少なくともいずれかを調整することで決定される。
【０１２２】
写りコース選択画面が操作されることによって、いずれかの写りコースが選択されると、ステップＳ１２において、事前選択処理部４０１は、事前選択空間Ａ０にいる利用者に対して、撮影空間Ａ１への移動を案内する。撮影空間Ａ１への移動の案内は、タッチパネルモニタ７１に案内画面を表示させることによって、または音声をスピーカ７２から出力させることによって行われる。
【０１２３】
以上のようにして、事前選択処理が行われる。
【０１２４】
＜撮影処理の詳細＞
次に、図１３のフローチャートを参照して、上述した写真シール作成ゲームの一連の処理におけるステップＳ３の撮影処理の詳細について説明する。
【０１２５】
利用者がタッチパネルモニタ９２をタッチすることで、撮影処理が開始されると、撮影処理部４０２は、撮影の仕方を説明するガイダンス画面をタッチパネルモニタ９２に表示させる。
【０１２６】
その後、ライブビュー表示画面がタッチパネルモニタ９２に表示された状態で撮影のタイミングになったとき、ステップＳ２１において、撮影処理部４０２は、１回目の撮影を行う。
【０１２７】
ステップＳ２２において、撮影処理部４０２は、撮影によって得られた静止画像である撮影画像を、１回目の撮影結果としてタッチパネルモニタ９２に表示させる。利用者は、１回目の撮影結果を確認しながら、次の撮影の準備を行うことができる。なお、撮影結果として表示される撮影画像は、撮影により得られた原画像をトリミングしたトリミング後の静止画像とされる。
【０１２８】
その後、２回目以降の撮影が行われる。すなわち、２回目の撮影タイミングになったとき、ステップＳ２３において、撮影処理部４０２は、２回目の撮影を行う。
【０１２９】
同様にして、ステップＳ２４乃至Ｓ２９において、撮影処理部４０２は、それぞれ３乃至８回目の撮影を行う。このようにして８回行われる撮影は、いずれも、利用者の顔および上半身を撮影範囲としたアップ撮影とされる。
【０１３０】
ただし、２乃至８回目の撮影では、撮影結果は表示されず、ライブビュー表示画面の表示と撮影とが連続して行われる。これにより、従来よりも１回の撮影にかかる時間を短縮できるので、従来の撮影処理全体にかかる時間と同程度の時間で、より多くの回数の撮影を行うことができる。また、１回目の撮影においては、その撮影結果が表示されるので、どのように写る画像が得られるのかを、利用者に事前に周知させることができる。
【０１３１】
ステップＳ２１乃至Ｓ２９において、８回の撮影が終わった後、ステップＳ３０において、撮影処理部４０２は、撮影を終えた利用者に対して、編集空間Ａ２−１または編集空間Ａ２−２への移動を案内する。編集空間Ａ２−１または編集空間Ａ２−２への移動の案内は、タッチパネルモニタ９２に案内画面を表示させることによって、または音声をスピーカ１１２から出力させることによって行われる。
【０１３２】
以上のようにして、撮影処理が行われる。
【０１３３】
＜編集処理の詳細＞
次に、図１４のフローチャートを参照して、上述した写真シール作成ゲームの一連の処理におけるステップＳ４の編集処理の詳細について説明する。
【０１３４】
編集処理が開始されると、ステップＳ３１において、編集処理部４０３は、メールアドレス入力画面をタブレット内蔵モニタ１３１に表示させる。
【０１３５】
メールアドレス入力画面は、利用者の所有する携帯端末（携帯電話機）のメールアドレスの入力に用いられる画面である。メールアドレス入力画面には、メールアドレスに用いることが可能なアルファベットや記号、携帯電話機のキャリアを選択するためのボタンと、選択されたボタンに対応する文字列が表示されるテキストボックスが表示される。
【０１３６】
なお、図示はしないが、メールアドレス入力画面には、メールアドレスを入力するための入力領域が左右に並んで設けられる。入力領域それぞれにおいては、メールアドレスの入力が複数（具体的には２人）の利用者毎に個別にかつ同時に受け付けられる。
【０１３７】
メールアドレス入力画面において、メールアドレスの入力が終了すると、処理はステップＳ３２に進む。
【０１３８】
ステップＳ３２において、編集処理部４０３は、シールレイアウト選択画面をタブレット内蔵モニタ１３１に表示させる。
【０１３９】
シールレイアウト選択画面は、最終的に出力されるシール紙のシールレイアウトを利用者に選択させるための画面である。シールレイアウトは、シール紙に配置される４枚の撮影画像の位置やサイズ、シール紙全体のデザインを決定するレイアウト（配置パターン）である。
【０１４０】
シールレイアウト選択画面において、シールレイアウトの選択が終了すると、処理はステップＳ３３に進む。
【０１４１】
ステップＳ３３において、編集処理部４０３は、プレビュー表示画面をタブレット内蔵モニタ１３１に表示させる。
【０１４２】
プレビュー表示画面は、撮影処理における８回の撮影により得られた８枚の撮影画像を利用者に確認させるための画面である。
【０１４３】
プレビュー表示画面が表示されてから所定時間が経過すると、処理はステップＳ３４に進む。
【０１４４】
ステップＳ３４において、編集処理部４０３は、キープ画像選択画面をタブレット内蔵モニタ１３１に表示させる。
【０１４５】
キープ画像選択画面は、プレビュー表示画面に表示された８枚の撮影画像の中から、編集対象とする撮影画像（キープ画像）を利用者に選択させるための画面である。キープ画像選択画面は、タブレット内蔵モニタ１３１を前にして左右に並んで立つ２人の利用者毎に、キープ画像の選択を受け付ける。キープ画像として選択可能な撮影画像の枚数は、例えば４枚とされるが、５枚や６枚など、その他の枚数であってもよい。また、左右の利用者で、選択可能なキープ画像の枚数が異なっていてもよい。さらに、例えば、選択可能なキープ画像の枚数を最大６枚とし、１枚から６枚までの好きな枚数だけ、キープ画像を利用者に選択させるようにしてもよい。
【０１４６】
キープ画像選択画面において、４枚のキープ画像の選択が終了すると、処理はステップＳ３５に進む。
【０１４７】
ステップＳ３５において、編集処理部４０３は、編集画面をタブレット内蔵モニタ１３１に表示させる。
【０１４８】
編集画面は、利用者の編集入力に応じて、編集対象となる撮影画像（キープ画像）の編集を施すための画面である。編集画面は、タブレット内蔵モニタ１３１を前にして左右に並んで立つ２人の利用者毎に、キープ画像の編集入力を受け付ける。編集画面には、編集対象となる撮影画像や、編集に用いられるスタンプ画像やペン画像、さらには背景画像やフレーム画像などの前景画像などの各種の編集ツール（合成用画像）などが表示される。
【０１４９】
利用者は、タッチペン１３２を用いて、スタンプ画像やペン画像、背景画像や前景画像などを編集対象となる撮影画像上の所定の位置へ重畳することで、編集対象となる撮影画像に対する合成用画像の合成が行われる。
【０１５０】
すなわち、ステップＳ３６において、編集処理部４０３は、利用者が用いるタッチペン１３２による操作（編集入力）を受け付け、受け付けられた操作に応じて、編集対象となる撮影画像に編集を施す。
【０１５１】
編集作業が終了すると、処理はステップＳ３７に進む。
【０１５２】
ステップＳ３７において、編集処理部４０３は、携帯送信用画像選択画面をタブレット内蔵モニタ１３１に表示させる。
【０１５３】
携帯送信用画像選択画面は、利用者の所有する携帯端末に送信するための携帯送信用画像を利用者に選択させるための画面である。携帯送信用画像選択画面は、タブレット内蔵モニタ１３１を前にして左右に並んで立つ２人の利用者毎に、携帯送信用画像の選択を受け付ける。携帯送信用画像選択画面には、携帯送信用画像の候補として、４枚のキープ画像に加え、４枚のキープ画像が組み合わされてなる１枚のコラージュ画像が表示される。
【０１５４】
ここでは、携帯送信用画像選択画面において、４枚のキープ画像が表示されるものとするが、キープ画像選択画面においてキープ画像として選択されなかった撮影画像が表示されて、携帯送信用画像として選択されるようにしてもよい。また、コラージュ画像を構成する画像に、４枚のキープ画像以外の、キープ画像として選択されなかった撮影画像が含まれるようにしてもよい。
【０１５５】
携帯送信用画像選択画面において、携帯送信用画像の選択が終了すると、処理はステップＳ３８に進む。
【０１５６】
ステップＳ３８において、編集処理部４０３は、通信部３１７を制御することで、インターネットなどのネットワークを介して、利用者により選択された携帯送信用画像を、利用者により入力されたメールアドレスとともに、画像取得サイト管理サーバに送信する。
【０１５７】
画像取得サイト管理サーバは、利用者により入力されたメールアドレス宛てに、携帯端末が画像取得サイト管理サーバにアクセスするのに必要なURL（Uniform Resource Locator）が記載されたメールを送信する。そして、そのURLに基づいて、利用者が所有する携帯端末が、ネットワークを介して画像取得サイト管理サーバにアクセスすることで、画像取得サイト管理サーバに送信された携帯送信用画像が携帯端末に提供される。
【０１５８】
そして、ステップＳ３９において、編集処理部４０３は、編集作業を終えた利用者に対して、印刷待ち空間Ａ３への移動を案内する。印刷待ち空間Ａ３への移動の案内は、編集部３０５Ａ，３０５Ｂのタブレット内蔵モニタ１３１に案内画面を表示させることによって、または音声をスピーカ３４１から出力させることによって行われる。
【０１５９】
以上のようにして、編集処理が行われる。
【０１６０】
＜編集処理において表示される各画面の例＞
ここで、上述した編集処理において表示される各画面の例について説明する。
【０１６１】
（シールレイアウト選択画面の例）
図１５乃至図１７は、タブレット内蔵モニタ１３１に表示されるシールレイアウト選択画面の例を示す図である。
【０１６２】
図１５は、シールレイアウト選択画面として表示されるレイアウト選択画面を示している。
【０１６３】
図１５のレイアウト選択画面には、１つのレイアウト選択領域５１０が設けられる。レイアウト選択領域５１０においては、タッチペン１３２を用いた操作により、レイアウト画像の選択が複数（具体的には２人）の利用者毎に個別に受け付けられる。
【０１６４】
レイアウト選択領域５１０には、レイアウト画像として、タテ分割レイアウト画像５１１とヨコ分割レイアウト画像５１２が、横に並んで表示されている。レイアウト画像は、シール紙に配置され印刷される画像であり、４枚の撮影画像（キープ画像）が配置される配置領域と、配置領域の周囲で各種のデザイン（色や柄、ロゴなど）で装飾された周囲領域とを有している。
【０１６５】
タテ分割レイアウト画像５１１は、縦長のレイアウト画像を選択するための画像である。ヨコ分割レイアウト画像５１２は、横長のレイアウト画像を選択するための画像である。
【０１６６】
レイアウト選択領域５１０において、タテ分割レイアウト画像５１１とヨコ分割レイアウト画像５１２のいずれかが、利用者毎に選択されると、図１６に示されるカラー選択画面が表示される。
【０１６７】
図１６は、シールレイアウト選択画面として表示されるカラー選択画面を示している。
【０１６８】
図１６のカラー選択画面には、カラー選択領域５２０Ｌ，５２０Ｒが左右に並んで設けられる。カラー選択領域５２０Ｌ，５２０Ｒそれぞれにおいては、レイアウト画像の配色の選択が複数（具体的には２人）の利用者毎に個別に受け付けられる。
【０１６９】
カラー選択領域５２０Ｌ，５２０Ｒそれぞれには、レイアウト選択画面において利用者毎に選択されたレイアウト画像が、縦４×横２で８パターンの配色が施されて表示される。図１６の例では、図１５のレイアウト選択画面において、２人の利用者によってヨコ分割レイアウト画像５１２が選択されることで、カラー選択領域５２０Ｌ，５２０Ｒそれぞれに、８パターンの配色の横長のレイアウト画像が表示されている。
【０１７０】
カラー選択領域５２０Ｌ，５２０Ｒそれぞれに表示されるレイアウト画像には、特定の分類のレイアウト画像が含まれている。特定の分類のレイアウト画像とは、あらかじめ指定された１または複数のテーマに応じたレイアウト画像とされる。具体的には、カラー選択領域５２０Ｌ，５２０Ｒそれぞれに表示されるレイアウト画像のうち、破線で囲まれる最下段２つのレイアウト画像は、周囲領域が、季節のイベント（例えば、ハロウィンやクリスマスなど）に応じたテーマのデザイン（色や柄、ロゴなど）で装飾された季節限定レイアウト画像とされる。一方、季節限定レイアウト以外のレイアウト画像は、所定のデザインで装飾された通常のレイアウト画像とされる。
【０１７１】
なお、図示はしないが、図１５のレイアウト選択画面において、２人の利用者のいずれかによってタテ分割レイアウト画像５１１が選択された場合には、カラー選択領域５２０Ｌ，５２０Ｒのうち、タテ分割レイアウト画像５１１を選択した利用者に対応する側に、８パターンの配色の縦長のレイアウト画像が表示される。
【０１７２】
カラー選択領域５２０Ｌ，５２０Ｒそれぞれにおいて、レイアウト画像が利用者毎に選択されると、図１７に示される左右入れ替え画面が表示される。
【０１７３】
図１７は、シールレイアウト選択画面として表示される左右入れ替え画面を示している。
【０１７４】
図１７の左右入れ替え画面には、レイアウト選択画面（図１５）とカラー選択画面（図１６）において、２人の利用者によって選択されたレイアウト画像５３１，５３２が左右に並んで表示される。
【０１７５】
また、図１７の左右入れ替え画面において、レイアウト画像５３１，５３２の間には、入れ替えボタン５３３が設けられる。利用者は、入れ替えボタン５３３を押下することで、２人の利用者によって選択されたレイアウト画像５３１，５３２を入れ替えることができる。
【０１７６】
さらに、レイアウト画像５３２の右側には、ＯＫボタン５３４が設けられている。利用者は、ＯＫボタン５３４を押下することで、入れ替えボタン５３３を押下することで入れ替えたレイアウト画像５３１，５３２を確定することができる。その後、タブレット内蔵モニタ１３１には、左右入れ替え画面に代えて、プレビュー表示画面が表示され、次いでキープ画像選択画面が表示される。
【０１７７】
（キープ画像選択画面の例）
図１８は、タブレット内蔵モニタ１３１に表示されるキープ画像選択画面の例を示す図である。
【０１７８】
キープ画像選択画面には、キープ画像選択領域５４０Ｌ，５４０Ｒが左右に並んで設けられる。キープ画像選択領域５４０Ｌ，５４０Ｒそれぞれにおいては、キープ画像の選択が複数（具体的には２人）の利用者毎に個別に受け付けられる。
【０１７９】
キープ画像選択領域５４０Ｌ，５４０Ｒは、それぞれ同一の構成を有している。
【０１８０】
キープ画像選択領域５４０Ｌには、４つのキープ画像表示領域５４１−１Ｌ乃至５４１−４Ｌが設けられ、その下方に撮影画像選択領域５４２Ｌが設けられる。同様に、キープ画像選択領域５４０Ｒには、４つのキープ画像表示領域５４１−１Ｒ乃至５４１−４Ｒが設けられ、その下方に撮影画像選択領域５４２Ｒが設けられる。
【０１８１】
以下において、キープ画像表示領域５４１−１Ｌ乃至５４１−４Ｌ，５４１−１Ｒ乃至５４１−４Ｒ、撮影画像選択領域５４２Ｌ，５４２Ｒをそれぞれ区別しない場合には、単に、キープ画像表示領域５４１−１乃至５４１−４、撮影画像選択領域５４２という。
【０１８２】
撮影画像選択領域５４２には、プレビュー表示画面にも表示された、８回の撮影により得られた８枚の撮影画像が、縦２×横４で配置されて表示される。
【０１８３】
キープ画像表示領域５４１−１乃至５４１−４には、撮影画像選択領域５４２において選択された撮影画像がキープ画像として表示される。なお、キープ画像選択画面が最初に表示されたデフォルトの状態では、キープ画像表示領域５４１−１乃至５４１−４には、いずれの撮影画像も表示されない。
【０１８４】
利用者は、撮影画像選択領域５４２に表示される８枚の撮影画像のうちの１枚を、タッチペン１３２で選択し、キープ画像表示領域５４１−１乃至５４１−４のいずれかにドラッグアンドドロップすることで、キープ画像を選択することができる。このように、編集入力の前に、利用者にキープ画像を選択させることで、後述する編集画面において小さく表示されるサムネイル画像を詳細に確認しなくとも、自身が編集対象として選択した画像を利用者に認識させることができる。
【０１８５】
なお、キープ画像表示領域５４１−１乃至５４１−４の配置は、レイアウト画像（シールレイアウト）の配置領域に対応している。したがって、最終的に出力されるシール紙には、利用者それぞれが選択したキープ画像が、キープ画像表示領域５４１−１乃至５４１−４の配置で印刷される。
【０１８６】
図１８の例で、キープ画像選択領域５４０Ｌにおいては、撮影画像選択領域５４２に表示される８枚の撮影画像のうち、上段の撮影画像４枚が、キープ画像として選択され、キープ画像表示領域５４１−１乃至５４１−４それぞれに表示されている。
【０１８７】
一方、キープ画像選択領域５４０Ｒにおいては、撮影画像選択領域５４２に表示される８枚の撮影画像のうち、上段左から２つ目の撮影画像１枚のみが、キープ画像として選択され、キープ画像表示領域５４１−１に表示されている。
【０１８８】
なお、キープ画像選択領域５４０Ｌ，５４０Ｒそれぞれにおいては、同一の撮影画像をキープ画像として選択することができる。
【０１８９】
撮影画像選択領域５４２の下方には、キープ画像の選択を決定するためのＯＫボタン５４３（５４３Ｌ／５４３Ｒ）が設けられる。キープ画像表示領域５４１−１乃至５４１−４それぞれにキープ画像が表示されている状態で、利用者によりＯＫボタン５４３が押下されると、キープ画像が決定される。その後、タブレット内蔵モニタ１３１には、キープ画像選択画面に代えて、編集画面が表示される。
【０１９０】
（編集画面の例）
図１９は、タブレット内蔵モニタ１３１に表示される編集画面の例を示す図である。
【０１９１】
図１９の編集画面には、編集領域５５０Ｌ，５５０Ｒが左右に並んで設けられる。編集領域５５０Ｌ，５５０Ｒそれぞれにおいては、複数（具体的には２人）の利用者それぞれに選択されたキープ画像の編集が利用者毎に個別に受け付けられる。
【０１９２】
編集領域５５０Ｌ，５５０Ｒは、それぞれ同一の構成を有している。
【０１９３】
編集領域５５０Ｌには、サムネイル表示領域５５１Ｌ、編集対象画像表示領域５５２Ｌ、スタンプ画像選択領域５５３Ｌ、アイメイク選択部５５４Ｌ、肌質調整部５５５Ｌ、およびリップカラー選択部５５６Ｌが設けられる。同様に、編集領域５５０Ｒには、サムネイル表示領域５５１Ｒ、編集対象画像表示領域５５２Ｒ、スタンプ画像選択領域５５３Ｒ、アイメイク選択部５５４Ｒ、肌質調整部５５５Ｒ、およびリップカラー選択部５５６Ｒが設けられる。
【０１９４】
以下において、サムネイル表示領域５５１Ｌ，５５１Ｒ、編集対象画像表示領域５５２Ｌ，５５２Ｒ、スタンプ画像選択領域５５３Ｌ，５５３Ｒ、アイメイク選択部５５４Ｌ，５５４Ｒ、肌質調整部５５５Ｌ，５５５Ｒ、およびリップカラー選択部５５６Ｌ，５５６Ｒをそれぞれ区別しない場合には、単に、サムネイル表示領域５５１、編集対象画像表示領域５５２、スタンプ画像選択領域５５３、アイメイク選択部５５４、肌質調整部５５５、およびリップカラー選択部５５６という。
【０１９５】
編集領域５５０Ｌ，５５０Ｒの右端には、サムネイル表示領域５５１が設けられる。サムネイル表示領域５５１は、キープ画像を表すサムネイル画像の表示領域である。利用者は、サムネイル表示領域５５１に表示されているサムネイル画像を選択することによって、編集入力を行うキープ画像を選択する。
【０１９６】
編集領域５５０Ｌのサムネイル表示領域５５１Ｌには、上述したキープ画像選択画面のキープ画像選択領域５３０Ｌにおいて選択された４枚のキープ画像を表すサムネイル画像が表示される。同様に、編集領域５５０Ｒのサムネイル表示領域５５１Ｒには、上述したキープ画像選択画面のキープ画像選択領域５３０Ｒにおいて選択された４枚のキープ画像を表すサムネイル画像が表示される。したがって、利用者はそれぞれ、自らが選択したキープ画像に対して編集入力を行うことができる。
【０１９７】
編集領域５５０Ｌ，５５０Ｒそれぞれにおいては、４枚のキープ画像を表すサムネイル画像が、サムネイル表示領域５５１に縦一列に並んで表示されている。
【０１９８】
編集領域５５０Ｌ，５５０Ｒの略中央には、編集対象画像表示領域５５２が設けられる。編集対象画像表示領域５５２は、編集入力を行う対象として選択されたキープ画像（編集対象画像）の表示領域である。
【０１９９】
編集対象画像表示領域５５２の左方には、スタンプ画像選択領域５５３が設けられる。スタンプ画像選択領域５５３は、編集対象画像表示領域５５２に表示されている編集対象画像に合成されるスタンプ画像を選択するための領域である。
【０２００】
編集領域５５０Ｌ，５５０Ｒの左下には、アイメイク選択部５５４が設けられる。アイメイク選択部５５４は、編集対象画像表示領域５５２に表示されている編集対象画像に写る人物の目を、アイラインやマスカラ、アイシャドウなどのアイメイクを濃く施したような目にしたり、涙袋を強調するための領域である。
【０２０１】
アイメイク選択部５５４の右方には、肌質調整部５５５とリップカラー選択部５５６が縦に並んで設けられる。肌質調整部５５５は、編集対象画像表示領域５５２に表示されている編集対象画像に写る人物の肌質を、ぼかし処理により調整するための領域である。リップカラー選択部５５６は、編集対象画像表示領域５５２に表示されている編集対象画像に写る人物の唇に施される色を選択するための領域である。
【０２０２】
図１９の編集画面においては、その左半分と右半分とで、各構成が同じ位置関係で配置されているので、利用者は、同じ構成の画面が左右に並んでいることを視認することで、個別に編集入力を行えることを明確に認識することができる。
【０２０３】
また、図１９の編集画面においては、編集画面の中央上部に、編集作業を終了するための終了ボタン５６１が１つのみ設けられる。これにより、従来の写真シール機と比べて、編集画面の構成を簡素化することができる。
【０２０４】
（携帯送信用画像選択画面の例）
図２０は、タブレット内蔵モニタ１３１に表示される携帯送信用画像選択画面の例を示す図である。
【０２０５】
携帯送信用画像選択画面には、携帯送信用画像選択領域５７０Ｌ，５７０Ｒが左右に並んで設けられる。携帯送信用画像選択領域５７０Ｌ，５７０Ｒそれぞれにおいては、携帯送信用画像の選択が複数（具体的には２人）の利用者毎に個別に受け付けられる。
【０２０６】
携帯送信用画像選択領域５７０Ｌ，５７０Ｒは、それぞれ同一の構成を有している。
【０２０７】
携帯送信用画像選択領域５７０Ｌには、携帯送信用画像表示領域５７１Ｌ、画像選択領域５７２Ｌ、およびＯＫボタン５７３Ｌが設けられる。同様に、携帯送信用画像選択領域５７０Ｒには、携帯送信用画像表示領域５７１Ｒ、画像選択領域５７２Ｒ、およびＯＫボタン５７３Ｒが設けられる。
【０２０８】
以下において、携帯送信用画像表示領域５７１Ｌ，５７１Ｒ、画像選択領域５７２Ｌ，５７２Ｒ、およびＯＫボタン５７３Ｌ，５７３Ｒをそれぞれ区別しない場合には、単に、携帯送信用画像表示領域５７１、画像選択領域５７２、およびＯＫボタン５７３という。
【０２０９】
携帯送信用画像選択領域５７０Ｌ，５７０Ｒの略中央には、携帯送信用画像表示領域５７１が設けられ、その下方に画像選択領域５７２が設けられる。
【０２１０】
画像選択領域５７２には、キープ画像選択画面において選択された４枚のキープ画像に加え、４枚のキープ画像が組み合わされてなる１枚のコラージュ画像が、横一列に並んで表示される。画像選択領域５７２に表示されるキープ画像は、編集画面において編集が施される前のキープ画像とされる。
【０２１１】
図２１は、コラージュ画像の例を示す図である。
【０２１２】
コラージュ画像は、携帯端末への送信専用の画像（携帯送信専用画像）であり、４枚のキープ画像が所定の配置で組み合わされるようにして自動的に生成される。図２１に示されるコラージュ画像５８０は、４枚のキープ画像５８１乃至５８４が組み合わされて構成される。
【０２１３】
図２１の例では、コラージュ画像５８０の左上に、キープ画像５８１が、他のキープ画像５８２乃至５８４より大きいサイズで配置され、その右側に、キープ画像５８２乃至５８４が同じサイズで縦に３枚並んで配置されている。また、キープ画像５８１下方の空いている領域には、写真シール作成装置１の機種名を表すロゴが描かれている。
【０２１４】
なお、携帯送信専用画像として、上述したコラージュ画像に代えて（または加えて）、シールレイアウト選択画面において選択されたレイアウト画像に４枚のキープ画像が配置されたものが、画像選択領域５７２に表示されるようにしてもよい。
【０２１５】
図２０に戻り、利用者は、画像選択領域５７２に表示される４枚のキープ画像およびコラージュ画像の合計５枚のうちの１枚をタッチペン１３２で選択することで、携帯送信用画像を選択することができる。
【０２１６】
図２０の例で、携帯送信用画像選択領域５７０Ｌにおいては、画像選択領域５７２に表示される５枚の画像のうち、左端のキープ画像が、携帯送信用画像として選択され、携帯送信用画像表示領域５７１に表示されている。
【０２１７】
また、携帯送信用画像選択領域５７０Ｒにおいては、画像選択領域５７２に表示される５枚の画像のいずれも選択されておらず、携帯送信用画像表示領域５７１には、いずれの画像も表示されていない。
【０２１８】
なお、携帯送信用画像選択領域５７０Ｌ，５７０Ｒそれぞれにおいては、同一の画像を携帯送信用画像として選択することができる。
【０２１９】
画像選択領域５７２の下方には、携帯送信用画像の選択を決定するためのＯＫボタン５７３（５７３Ｌ／５７３Ｒ）が設けられる。携帯送信用画像表示領域５７１に携帯送信用画像が表示されている状態で、利用者によりＯＫボタン５７３が押下されると、携帯送信用画像が決定される。その後、タブレット内蔵モニタ１３１には、携帯送信用画像選択画面に代えて、印刷待ち空間Ａ３への移動の案内をする案内画面が表示される。
【０２２０】
＜シールレイアウトの例＞
次に、最終的に出力されるシール紙のシールレイアウトの詳細について説明する。
【０２２１】
図２２は、シール紙のシールレイアウトの例を示す図である。
【０２２２】
図２２に示されるシール紙６００は、１回の写真シール作成ゲームによって出力されるシール紙である。シール紙６００には、第１の領域としてのレイアウト画像配置領域６１１，６１２が設けられる。
【０２２３】
具体的には、シールレイアウトにおいては、シールレイアウト選択画面において選択された２つのレイアウト画像が、互いに線対称となる位置に配置されるように、レイアウト画像配置領域６１１，６１２が設けられる。
【０２２４】
図２２の例では、長手方向を横方向にしたシール紙６００の左右に互いに線対称となる位置に設けられたレイアウト画像配置領域６１１には縦長のレイアウト画像が、レイアウト画像配置領域６１２には横長のレイアウト画像が、それぞれ配置されている。
【０２２５】
また、シール紙６００において、レイアウト画像配置領域６１１，６１２それぞれに挟まれる第２の領域としてのおまけ領域６１３には、レイアウト画像の１つであるおまけ画像が配置される。
【０２２６】
おまけ画像は、撮影により得られた８枚全ての撮影画像が配置される配置領域と、配置領域の周囲で各種のデザイン（色や柄、ロゴなど）で装飾された周囲領域とを有している。おまけ画像の配置領域に配置される８枚の撮影画像は、いずれも編集が施される前の撮影画像であってもよいし、編集が施された後の撮影画像であってもよい。
【０２２７】
さらに、シール紙６００において、レイアウト画像配置領域６１１とおまけ領域６１３の境界、レイアウト画像配置領域６１２とおまけ領域６１３の境界には、それぞれミシン目ｐ１１，ｐ１２が入れられている。これにより、２人の利用者が、より簡単に、レイアウト画像配置領域６１１，６１２それぞれに印刷されたレイアウト画像を切り分けることができる。
【０２２８】
ところで、本技術の写真シール作成装置１において、おまけ画像における８つの配置領域の位置や大きさ、周囲領域のデザイン（色や柄、ロゴなど）は、レイアウト画像配置領域６１１，６１２に配置されるレイアウト画像に連動して設定される。
【０２２９】
以下においては、シールレイアウト選択画面において選択されたレイアウト画像に連動して、おまけ領域６１３に配置されるおまけ画像を設定する構成について説明する。
【０２３０】
＜制御部の構成＞
図２３は、CPU３１１により所定のプログラムが実行されることによって実現される、写真シール作成装置１の制御部の機能構成例を示すブロック図である。
【０２３１】
図２３の制御部７００は、表示制御部７０１、設定部７０２、印刷制御部７０３、および通信制御部７０４から構成される。
【０２３２】
表示制御部７０１は、タブレット内蔵モニタ１３１の表示を制御するとともに、タブレット内蔵モニタ１３１に表示された画面に対する利用者の操作を受け付ける。
【０２３３】
具体的には、表示制御部７０１は、シールレイアウト選択画面をはじめとする、編集処理において表示される各画面の表示を制御するとともに、各画面に対する利用者の操作を受け付ける。
【０２３４】
なお、表示制御部７０１は、事前選択部３０２のタッチパネルモニタ７１や、撮影部３０４のタッチパネルモニタ９２の表示や操作の受け付けを制御するようにしてもよい。
【０２３５】
設定部７０２は、シールレイアウト選択画面において利用者により選択されたレイアウト画像に連動して、シール紙のおまけ領域６１３に配置されるおまけ画像を設定する。具体的には、記憶部３１６には、各種のデザインの周囲領域を有するおまけ画像が記憶されており、設定部７０２は、選択されたレイアウト画像の周囲領域のデザインに対応するおまけ画像を記憶部３１６から取得し、設定する。
【０２３６】
例えば、設定部７０２は、特定の分類のレイアウト画像が選択された場合、そのレイアウト画像に対応した特定の分類のおまけ画像を設定する。また、設定部７０２は、特定の分類に含まれないレイアウト画像が選択された場合、特定の分類に含まれないレイアウト画像が選択された、その特定の分類に含まれないおまけ画像をランダムに設定する。
【０２３７】
設定されたおまけ画像を示す情報は、選択されたレイアウト画像を示す情報とともに印刷制御部７０３に供給される。
【０２３８】
また、設定部７０２は、シールレイアウト選択画面において利用者により選択されたレイアウト画像に連動して、携帯送信用画像選択画面において携帯送信用画像の選択肢の１つとなるコラージュ画像を設定する。具体的には、記憶部３１６には、各種のデザインの周囲領域を有するコラージュ画像が記憶されており、設定部７０２は、選択されたレイアウト画像の周囲領域のデザインに対応するコラージュ画像を記憶部３１６から取得し、設定する。
【０２３９】
例えば、設定部７０２は、特定の分類のレイアウト画像が選択された場合、そのレイアウト画像に対応した特定の分類のコラージュ画像を設定する。また、設定部７０２は、特定の分類に含まれないレイアウト画像が選択された場合、その特定の分類に含まれないコラージュ画像をランダムに設定する。
【０２４０】
設定されたコラージュ画像を示す情報は、携帯送信用画像選択画面において携帯送信用画像の他の選択肢となるキープ画像を示す情報とともに通信制御部７０４に供給される。
【０２４１】
印刷制御部７０３は、設定部７０２からの情報に基づいて、プリンタ３５１を制御することで、レイアウト画像とおまけ画像のシール紙への印刷を制御する。
【０２４２】
通信制御部７０４は、設定部７０２からの情報に基づいて、通信部３１７を制御することで、携帯送信用画像選択画面において選択された携帯送信用画像の画像取得サイト管理サーバへの送信を制御する。
【０２４３】
＜シール紙の印刷処理＞
次に、図２４のフローチャートを参照して、制御部７００によるシール紙の印刷処理について説明する。
【０２４４】
まず、ステップＳ５１において、表示制御部７０１は、タブレット内蔵モニタ１３１に表示されるシールレイアウト選択画面において、利用者によるレイアウト画像の選択を受け付ける。
【０２４５】
ステップＳ５２において、設定部７０２は、シールレイアウト選択画面において、特定の分類のレイアウト画像が選択されたか否かを判定する。具体的には、カラー選択画面において、季節限定レイアウト画像が選択されたか否かが判定される。
【０２４６】
ステップＳ５２において、特定の分類のレイアウト画像、すなわち季節限定レイアウト画像が選択されたと判定された場合、ステップＳ５３に進む。
【０２４７】
ステップＳ５３において、設定部７０２は、シール紙のおまけ領域６１３に配置されるおまけ画像として、特定の分類のレイアウト画像に対応した、特定の分類のおまけ画像を設定する。具体的には、おまけ画像として、周囲領域が、季節のイベントに応じたテーマのデザインで装飾された季節限定おまけ画像が設定される。
【０２４８】
一方、ステップＳ５２において、特定の分類のレイアウト画像（季節限定レイアウト画像）が選択されなかったと判定された場合、すなわち、季節限定レイアウト画像以外の、通常のレイアウト画像が選択されたと判定された場合、ステップＳ５４に進む。
【０２４９】
ステップＳ５４において、設定部７０２は、シール紙のおまけ領域６１３に配置されるおまけ画像として、特定の分類に含まれない通常のおまけ画像をランダムに設定する。
【０２５０】
ステップＳ５３またはステップＳ５４においておまけ画像が設定されると、ステップＳ５５において、印刷制御部７０３は、選択を受け付けたレイアウト画像と、設定されたおまけ画像のシール紙への印刷を制御する。
【０２５１】
例えば、図２５に示されるように、シール紙６００のレイアウト画像配置領域６１１，６１２それぞれに配置されるレイアウト画像として、水玉模様の周囲領域を有する季節限定レイアウト画像７１１，７１２が選択されている場合、おまけ領域６１３には、季節限定レイアウト画像７１１，７１２と同様に、水玉模様の周囲領域を有する季節限定おまけ画像７２１が配置される。
【０２５２】
すなわち、シール紙６００のレイアウト画像配置領域６１１，６１２それぞれには、利用者により選択された季節限定レイアウト画像７１１，７１２が印刷されるとともに、おまけ領域６１３には、季節限定レイアウト画像７１１，７１２に連動して設定された季節限定おまけ画像７２１が印刷される。
【０２５３】
なお、図２５の例では、レイアウト画像配置領域６１１，６１２それぞれに配置されるレイアウト画像がともに季節限定レイアウト画像である場合に、おまけ画像として季節限定おまけ画像が配置されるものとする。これに限らず、レイアウト画像配置領域６１１，６１２それぞれに配置されるレイアウト画像のいずれか一方が季節限定レイアウト画像である場合に、おまけ画像として季節限定おまけ画像が配置されるようにしてもよい。
【０２５４】
一方、図２６に示されるように、シール紙６００のレイアウト画像配置領域６１１，６１２それぞれに配置されるレイアウト画像として、通常のレイアウト画像７３１，７３２が選択されている場合、おまけ領域６１３には、通常のおまけ画像７４１乃至７４３のいずれかがランダムに配置される。
【０２５５】
以上の処理によれば、レイアウト画像として季節限定レイアウト画像が選択された場合には、その季節限定レイアウト画像に連動して、季節限定おまけ画像が設定される。これにより、最終的に出力されるシール紙全体の統一感が損なわれることなく、出力物としてのシール紙の統一感を高めることが可能となる。
【０２５６】
＜携帯送信用画像の送信処理＞
次に、図２７のフローチャートを参照して、制御部７００による携帯送信用画像の送信処理について説明する。図２７の処理は、タブレット内蔵モニタ１３１に表示されるシールレイアウト選択画面において、利用者によるレイアウト画像の選択が受け付けられた後に実行される。
【０２５７】
ステップＳ７１において、設定部７０２は、シールレイアウト選択画面において、特定の分類のレイアウト画像が選択されたか否かを判定する。具体的には、カラー選択画面において、季節限定レイアウト画像が選択されたか否かが判定される。
【０２５８】
ステップＳ７１において、特定の分類のレイアウト画像、すなわち季節限定レイアウト画像が選択されたと判定された場合、ステップＳ７２に進む。
【０２５９】
ステップＳ７２において、設定部７０２は、携帯送信用画像の選択肢の１つとなるコラージュ画像として、特定の分類のレイアウト画像に対応した、特定の分類のコラージュ画像を設定する。具体的には、コラージュ画像として、周囲領域が、季節のイベントに応じたテーマのデザインや色、ロゴで装飾された季節限定コラージュ画像が設定される。
【０２６０】
例えば、図２５と同様に、シール紙６００のレイアウト画像配置領域６１１，６１２それぞれに配置されるレイアウト画像として、水玉模様の周囲領域を有する季節限定レイアウト画像７１１，７１２が選択されている場合、図２８に示されるように、コラージュ画像として、季節限定レイアウト画像７１１，７１２と同様に、水玉模様の周囲領域を有する季節限定コラージュ画像７６０が設定される。図２８に示される季節限定コラージュ画像７６０は、４枚のキープ画像７６１乃至７６４が組み合わされて構成される。
【０２６１】
一方、ステップＳ７１において、特定の分類のレイアウト画像（季節限定レイアウト画像）が選択されなかったと判定された場合、すなわち、季節限定レイアウト画像以外の、通常のレイアウト画像が選択されたと判定された場合、ステップＳ７３に進む。
【０２６２】
ステップＳ７３において、設定部７０２は、携帯送信用画像の選択肢の１つとなるコラージュ画像として、特定の分類に含まれない通常のコラージュ画像をランダムに設定する。
【０２６３】
ステップＳ７２またはステップＳ７３においてコラージュ画像が設定されると、ステップＳ７４において、表示制御部７０１は、携帯送信用画像選択画面において、携帯送信用画像としてコラージュ画像が選択されたか否かを判定する。
【０２６４】
ステップＳ７４において、携帯送信用画像としてコラージュ画像が選択されたと判定された場合、ステップＳ７５に進む。
【０２６５】
ステップＳ７５において、通信制御部７０４は、選択されたコラージュ画像の画像取得サイト管理サーバへの送信を制御する。
【０２６６】
一方、ステップＳ７４において、携帯送信用画像としてコラージュ画像が選択されなかったと判定された場合、すなわち、携帯送信用画像選択画面において、携帯送信用画像として、４枚のキープ画像のいずれかが選択された場合、ステップＳ７６に進む。
【０２６７】
ステップＳ７６において、通信制御部７０４は、選択されたキープ画像の画像取得サイト管理サーバへの送信を制御する。
【０２６８】
以上の処理によれば、レイアウト画像として季節限定レイアウト画像が選択された場合には、その季節限定レイアウト画像に連動して、季節限定コラージュ画像が設定される。これにより、シール紙に印刷されたレイアウト画像およびおまけ画像と同じデザインの携帯送信用画像を、利用者に提供することができ、結果として、出力物としてのシール紙と携帯送信用画像の統一感を高めることが可能となる。
【０２６９】
＜シールレイアウト選択画面の他の例＞
図１６のカラー選択画面（シールレイアウト選択画面）のカラー選択領域５２０Ｌ，５２０Ｒそれぞれにおいては、通常のレイアウト画像と季節限定レイアウト画像が一緒に表示されるものとした。
【０２７０】
これに限らず、カラー選択領域５２０Ｌ，５２０Ｒそれぞれにおいて、通常のレイアウト画像と季節限定レイアウト画像が、切り替わって表示されるようにしてもよい。
【０２７１】
図２９および図３０は、シールレイアウト選択画面として表示されるカラー選択画面の他の例を示す図である。
【０２７２】
図２９および図３０のシールレイアウト選択画面には、カラー選択領域５２０Ｌ，５２０Ｒそれぞれの上部に、分類選択ボタン７８１，７８２が設けられる。
【０２７３】
分類選択ボタン７８１は、カラー選択領域５２０Ｌ，５２０Ｒに、通常のレイアウト画像を表示させるためのボタンであり、分類選択ボタン７８２は、カラー選択領域５２０Ｌ，５２０Ｒに、季節限定レイアウト画像を表示させるためのボタンである。
【０２７４】
図２９の例では、カラー選択領域５２０Ｌ，５２０Ｒそれぞれにおいて、分類選択ボタン７８１が選択されることで、縦３×横２で６種類の通常のレイアウト画像が表示されている。
【０２７５】
一方、図３０の例では、カラー選択領域５２０Ｌ，５２０Ｒそれぞれにおいて、分類選択ボタン７８２が選択されることで、縦１×横２で２種類の季節限定レイアウト画像が表示されている。
【０２７６】
このように、カラー選択画面において、通常のレイアウト画像と季節限定レイアウト画像を、切り替えて表示することもできる。
【０２７７】
また、以上においては、カラー選択画面において、２つのカラー選択領域５２０Ｌ，５２０Ｒが設けられるものとしたが、１つのカラー選択領域のみが設けられるようにしてもよい。この場合、カラー選択領域においては、タッチペン１３２を用いた操作により、レイアウト画像の選択が２人の利用者毎に個別に受け付けられる。
【０２７８】
＜変形例＞
以上においては、シールレイアウト選択画面において選択されたレイアウト画像に連動して、おまけ画像やコラージュ画像が設定されるものとしたが、レイアウト画像に連動して、その他の要素が設定されるようにしてもよい。
【０２７９】
例えば、シールレイアウト選択画面において季節限定レイアウト画像が選択された場合、編集画面において選択可能なスタンプ、アイメイク、リップカラーの他、ペン画像の色、背景画像や前景画像（フレーム画像）などのコンテンツの種類が増えたり、特定の種類のコンテンツが選択可能となったりしてもよい。
【０２８０】
また、シールレイアウト選択画面において季節限定レイアウト画像が選択された場合、ゲーム中に表示される各画面の背景色が、季節限定レイアウト画像に対応した色になったり、ゲーム中に出力されるBGMが、季節限定レイアウト画像に対応した楽曲になったりしてもよい。
【０２８１】
さらに、シールレイアウト選択画面において季節限定レイアウト画像が選択された場合、特別なゲームフローでゲームが提供されてもよい。また、撮影処理の前にシールレイアウト選択画面が表示されるようにした場合には、季節限定レイアウト画像が選択されることで、撮影タイミングの前に、ポーズの見本となる見本画像として、特別なポーズの見本画像が表示されるようにしてもよい。
【０２８２】
上述した説明では、シールレイアウト選択画面において選択されたレイアウト画像に連動して、おまけ画像が設定されるものとしたが、シールレイアウト選択画面においておまけ画像を選択させるようにし、選択されたおまけ画像に連動して、レイアウト画像が設定されるようにしてもよい。
【０２８３】
また、シール紙には、第１のレイアウト画像としての２つのレイアウト画像と、それに対応する第２のレイアウト画像としてのおまけ画像が配置されるものとしたが、シール紙に配置される第１のレイアウト画像と第２のレイアウト画像の数は、これに限られるものではない。
【０２８４】
以上においては、特定の分類は、季節のイベントに応じたテーマを表すものとしたが、特定のアニメーションやゲームのキャラクタに応じたテーマなど、その他のテーマを表すものであってもよい。
【０２８５】
上述した実施の形態では、写真シール作成装置１は、得られた撮影画像や編集画像をシール紙に印刷するとともに、画像取得サイト管理サーバに送信することで利用者の携帯端末に提供する構成を採るものとした。これに限らず、撮影画像や編集画像をシール紙に印刷せずに、画像取得サイト管理サーバに送信することで利用者の携帯端末に提供するのみの構成を採ることも可能である。また逆に、撮影画像や編集画像を画像取得サイト管理サーバに送信せずに、シール紙に印刷するのみの構成を採ることも可能である。
【０２８６】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２８７】
この記録媒体は、例えば、図９に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア３１９により構成される。また、これらだけでなく、記録媒体は、装置本体にあらかじめ組み込まれた状態で管理者に配信されるプログラムが記録されているROM３１２や、記憶部３１６に含まれるハードディスクなどで構成される。
【０２８８】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２８９】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０２９０】
また、本技術の実施の形態は、上述した実施の形態に限定されるものではなく、本技術の要旨を逸脱しない範囲において種々の変更が可能である。
【０２９１】
なお、本明細書に記載された効果はあくまで例示であって限定されるものではなく、他の効果があってもよい。
【符号の説明】
【０２９２】
１  写真シール作成装置
７００  制御部
７０１  表示制御部
７０２  設定部
７０３  印刷制御部
７０４  通信制御部
【図１】
2020112638.tif 000003
【図２】
2020112638.tif 000004
【図３】
2020112638.tif 000005
【図４】
2020112638.tif 000006
【図５】
2020112638.tif 000007
【図６】
2020112638.tif 000008
【図７】
2020112638.tif 000009
【図８】
2020112638.tif 000010
【図９】
2020112638.tif 000011
【図１０】
2020112638.tif 000012
【図１１】
2020112638.tif 000013
【図１２】
2020112638.tif 000014
【図１３】
2020112638.tif 000015
【図１４】
2020112638.tif 000016
【図１５】
2020112638.tif 000017
【図１６】
2020112638.tif 000018
【図１７】
2020112638.tif 000019
【図１８】
2020112638.tif 000020
【図１９】
2020112638.tif 000021
【図２０】
2020112638.tif 000022
【図２１】
2020112638.tif 000023
【図２２】
2020112638.tif 000024
【図２３】
2020112638.tif 000025
【図２４】
2020112638.tif 000026
【図２５】
2020112638.tif 000027
【図２６】
2020112638.tif 000028
【図２７】
2020112638.tif 000029
【図２８】
2020112638.tif 000030
【図２９】
2020112638.tif 000031
【図３０】
2020112638.tif 000032